(57)【要約】 【課題】  本発明はスペース効率に優れた電気接続箱を提供する。【解決手段】  絶縁基板に電子回路を構成し、この電子回路に電装品２４を実装した制御回路基板２１を、複数本のバスバー１０を複数枚の絶縁板１１を介して積層してなる配電基板１２に垂直となるように配設したものをハウジング４０に収容してなる電気接続箱８０である。これにより、配電基板１２の板面に垂直な方向の投影面積を増大させることなく、制御回路基板２１に実装された電装品２４を電気接続箱８０に増設できるので、スペース効率を向上させることができる。【選択図】  図４
2006042501.tif 000002
【特許請求の範囲】
【請求項１】
絶縁基板に複数本のバスバーを沿わせて配設してなる配電基板をハウジング内に収容し、そのハウジングにリレー等の電装品を装着して前記配電基板に接続されるようにした電気接続箱において、
前記配電基板の絶縁基板とは異なる絶縁基板に電子回路を構成した制御回路基板を前記ハウジング内で前記配電基板に対して垂直となるように配設し、この制御回路基板の電子回路により前記配電基板側の電装品または前記制御回路基板に実装したリレー等の電装品を制御するようにしたことを特徴とする電気接続箱。
【請求項２】
前記制御回路基板は、前記配電基板の端部に位置し、前記制御回路基板が、前記配電基板の両面側に延びるＴ字型配置とされていることを特徴とする請求項１記載の電気接続箱。
【請求項３】
前記ハウジングには、前記制御回路基板を収容するための補助ハウジングが一体に設けられ、その補助ハウジングは前記配電基板とは反対側の面を開放した形態とされていることを特徴とする請求項１または２記載の電気接続箱。
【請求項４】
前記制御回路基板には前記補助ハウジングの開放面側に位置して放熱板が設けられていることを特徴とする請求項１ないし３のいずれかに記載の電気接続箱。
【請求項５】
前記ハウジングには前記配電基板の表裏両面側から電装品が取り付けられるようになっており、前記補助ハウジングの前記配電基板と直交する方向の高さ寸法は、前記ハウジングの表面側に取り付けられた前記電装品の最高高さと、裏面側に取り付けられた前記電装品の最高高さとの幅の範囲内となるように設定されていることを特徴とする請求項１ないし４のいずれかに記載の電気接続箱。
【請求項６】
前記制御回路基板と前記放熱板との間には絶縁性の接着層を介して複数本のバスバーが接着されており、これらのバスバー群のうちの所定のものは、前記制御回路基板の板面に対して垂直に曲げ加工されており、その先端部には、前記配電基板と接続するためのタブ片が形成されていることを特徴とする請求項１ないし５のいずれかに記載の電気接続箱。
【請求項７】
前記配電基板に沿わせたバスバーには、前記制御回路基板側に向けて延びるタブ片が形成され、この配電基板側のタブ片と、前記制御回路基板側のタブ片とが雌型中継端子によって接続されていることを特徴とする請求項６記載の電気接続箱。
【発明の詳細な説明】
【技術分野】
【０００１】
本発明は、ハウジングに電装品を収容してなる電気接続箱に関する。
【背景技術】
【０００２】
この種の電気接続箱としては、例えば特許文献１に記載のものが知られている。このものは、絶縁基板に複数本のバスバーを沿わせて配設してなる配電基板がハウジングに収容されてなり、そのハウジングの上面にリレー等の電装品を装着して、配電基板に接続されるようになっている。
【特許文献１】特開平８−３２２１２７号公報
【発明の開示】
【発明が解決しようとする課題】
【０００３】
しかしながら上記の構成によれば、これらの電装品が装着されるために最低限必要とされる面積が配電基板に必要とされる。このため、電装品を増設しようとした場合、配電基板の面積を増大させる必要があり、電気接続箱の設置面積が大型化してしまうという問題点があった。
【０００４】
本発明は上記のような事情に基づいて完成されたものであって、限られたスペース内により多くの電装品を装着可能な、スペース効率に優れた電気接続箱を提供することを目的とする。
【課題を解決するための手段】
【０００５】
上記の目的を達成するための手段として、請求項１の発明は、絶縁基板に複数本のバスバーを沿わせて配設してなる配電基板をハウジング内に収容し、そのハウジングにリレー等の電装品を装着して前記配電基板に接続されるようにした電気接続箱において、前記配電基板の絶縁基板とは異なる絶縁基板に電子回路を構成した制御回路基板を前記ハウジング内で前記配電基板に対して垂直となるように配設し、この制御回路基板の電子回路により前記配電基板側の電装品または前記制御回路基板に実装したリレー等の電装品を制御するようにしたことを特徴とする。
【０００６】
請求項２の発明は、請求項１記載のものにおいて、前記制御回路基板は、前記配電基板の端部に位置し、前記制御回路基板が、前記配電基板の両面側に延びるＴ字型配置とされていることを特徴とする。
【０００７】
請求項３の発明は、請求項１または２記載のものにおいて、前記ハウジングには、前記制御回路基板を収容するための補助ハウジングが一体に設けられ、その補助ハウジングは前記配電基板とは反対側の面を開放した形態とされていることを特徴とする。
【０００８】
請求項４の発明は、請求項１ないし３のいずれかに記載のものにおいて、前記制御回路基板には前記補助ハウジングの開放面側に位置して放熱板が設けられていることを特徴とする。
【０００９】
請求項５の発明は、請求項１ないし４のいずれかに記載のものにおいて、前記ハウジングには前記配電基板の表裏両面側から電装品が取り付けられるようになっており、前記補助ハウジングの前記配電基板と直交する方向の高さ寸法は、前記ハウジングの表面側に取り付けられた前記電装品の最高高さと、裏面側に取り付けられた前記電装品の最高高さとの幅の範囲内となるように設定されていることを特徴とする。
【００１０】
請求項６の発明は、請求項１ないし５のいずれかに記載のものにおいて、前記制御回路基板と前記放熱板との間には絶縁性の接着層を介して複数本のバスバーが接着されており、これらのバスバー群のうちの所定のものは、前記制御回路基板の板面に対して垂直に曲げ加工されており、その先端部には、前記配電基板と接続するためのタブ片が形成されていることを特徴とする。
【００１１】
請求項７の発明は、請求項６記載のものにおいて、前記配電基板に沿わせたバスバーには、前記制御回路基板側に向けて延びるタブ片が形成され、この配電基板側のタブ片と、前記制御回路基板側のタブ片とが雌型中継端子によって接続されていることを特徴とする。
【発明の効果】
【００１２】
＜請求項１の発明＞
請求項１の発明によれば、制御回路基板は配電基板に対して垂直となるように配設されているので、配電基板の板面に垂直な方向の投影面積を増大させることなく、電気接続箱に電装品を実装することができる。これにより電気接続箱のスペース効率を向上させることができる。
【００１３】
＜請求項２の発明＞
ハウジングにはリレー等の電装品が配設されて配電基板に接続されるようになっているので、配電基板と直交する方向に延びる空間のうち、所定の体積の空間は電装品により占有されている。請求項２の発明によれば、制御回路基板は、配電基板の端部に位置して、この制御回路基板が、配電基板の両面側に延びるＴ字型配置とされている。これにより、配電基板と直交する方向に延びる空間のうち、元々電装品の占有する空間を利用して、制御回路基板を配することができるので、電気接続箱のスペース効率を向上させることができる。
【００１４】
＜請求項３の発明＞
請求項３の発明によれば、補助ハウジングは電気接続箱のハウジングと一体に形成されているので、両者が別体に形成される場合に比べてハウジングを全体として小型化できる。
【００１５】
また、補助ハウジングの開放面側から制御回路基板を組み付けることができるので、制御回路基板の電気接続箱への組付作業が容易となる。
【００１６】
＜請求項４の発明＞
請求項４の発明によれば、制御回路基板に設けられた放熱板は、補助ハウジングの開放面側に位置しているので、制御回路基板に実装された電装品からの発熱を、電気接続箱の外部へ効率よく放散することができる。これにより電気接続箱の放熱性を向上させることができる。
【００１７】
＜請求項５の発明＞
ハウジングには、配電基板の表裏両面側から電装品が配設されているので、配電基板と直交する方向に延びる空間のうち、ハウジングの表面側に取り付けられた電装品の最高高さと、裏面側に取り付けられた電装品の最高高さとの幅によって区分される空間は、電気接続箱によって占有されるようになっている。請求項５の発明によれば、電装品が取り付けられた状態の電気接続箱が占有する空間内に、補助ハウジングが形成されている。この補助ハウジング内に制御回路基板を収容することにより、元々電気接続箱の占有する空間内に制御回路基板を配することができるので、電気接続箱のスペース効率を向上させることができる。
【００１８】
＜請求項６の発明＞
請求項６の発明によれば、バスバーの先端に形成されたタブ片は、制御回路基板と垂直な方向を向いている。このため、タブ片を、例えば電気接続箱に配設した雌型端子金具に挿入して、制御回路基板と電気接続箱とを接続しようとした場合、タブ片と雌型端子金具とが接触してタブ片がその板面に垂直な方向に撓み変形しても、垂直に曲げ加工されて部位で撓み変形が止められるため、制御回路基板に取り付けられたバスバー側には、バスバーの板面に垂直な方向を向いた力が加わることはない。このため、制御回路基板と電気接続箱とを接続する際に、バスバーから制御回路基板が剥離することを防止できる。
【００１９】
＜請求項７の発明＞
配電基板に配設されたバスバー及び制御回路基板に接着されたバスバーは金属板材を打ち抜き加工して形成されるものであり、このバスバーの端部を先細り形状に加工することにより、容易にタブ片を形成することができる。このように形成されたタブ片同士を、雌型中継端子に挿入するという簡易な手法で接続することにより、制御回路基板と配電基板とを接続することができる。このように請求項７の発明によれば、制御回路基板と配電基板との接続工程を全体として簡素化することができる。
【発明を実施するための最良の形態】
【００２０】
＜実施形態＞
本発明の一実施形態を図１ないし図５を参照して説明する。
本実施形態の電気接続箱８０は、扁平形状をなすハウジング４０に、配電基板１２を、その板面が上下方向を向くように収容したものである（図４参照）。ハウジング４０は合成樹脂製であり、上面を開放したロアケース６０と、その開放上面を覆うアッパーケース４１とを結合させてなる。
【００２１】
図３、図４に示すように、ロアケース６０の下壁には、リレー８７を装着するために凹み形成させたリレー装着部６２と、ワイヤーハーネス（図示せず）を接続するためのコネクタフード部６４とが形成されている。リレー装着部６２には、ロアケース６０の下壁を上下方向に貫通するリレー端子挿入口６３が形成され、ここに後述する配電用端子１３が挿入されるようになっている。また、コネクタフード部６４の底壁には、後述する配電用端子１３が貫通して、コネクタフード部６４内に突出するようになっている。
【００２２】
図２に示すように、ロアケース６０は上方から見て略長方形状をなしており、このロアケース６０の長手方向の両側に位置する側壁の外側面には、その両端寄りの位置に、後述するロック片５４と係止してロアケース６０とアッパーケース４１とを固定するためのロック突部６７が形成されている。
【００２３】
図１、図４に示すように、アッパーケース４１の上壁には、ヒューズ８６を装着するために凹み形成させたヒューズ装着部４３と、ワイヤーハーネス（図示せず）を接続するためのコネクタフード部４６とが形成されている。ヒューズ装着部４３には、アッパーケース４１の上壁を上下方向に貫通するヒューズ端子挿入口４４が形成され、ここに後述する配電用端子１３が挿入されるようになっている。また、コネクタフード部４６の底壁には、後述する配電用端子１３が貫通して、コネクタフード部４６内に突出するようになっている。
【００２４】
図１に示すように、アッパーケース４１は上方から見て略長方形状をなしており、このアッパーケース４１の長手方向の両側に位置する２つの側壁の外側面、及びアッパーケース４１の長手方向に平行な２つの側壁の外側面のうち両端寄りの位置には、ハウジング４０を図示しない車体に固定するためのランス５０が形成されている。
【００２５】
図１に示すように、アッパーケース４１の長手方向の両側に位置する側壁の外側面の下端部には、ロアケース６０のロック突部６７と対応する位置に、ロック突部６７と係止してアッパーケース４１とロアケース６０とを固定するロック片５４が形成されている。
【００２６】
アッパーケース４１とロアケース６０とは、ロアケース６０の上方からアッパーケース４１が組み付けられて、ロック片５４がロック突部６７に弾性的に係止されることにより一体化されている。
【００２７】
配電基板１２は、金属板材を打ち抜いて形成した複数本のバスバー１０を複数層（本実施形態では３層）に配し、各層の間に絶縁板１１（請求項１において、配電基板を構成する絶縁基板に相当する）を介して積層されてなる。バスバー１０の端部のうち所定のものについては、上方又は下方に曲げ加工されており、配電用端子１３とされている。また、配電用端子１３と異なる端部は、一旦下方に曲げ加工された後、図２における左手前側に突出するように曲げ加工されて、その先端部がやや先細り形状に形成されて、制御回路基板２１と接続するための配電側タブ片１４（請求項７における配電基板側のタブ片に相当する）とされている。
【００２８】
絶縁板１１は略長方形状をなしており、その板面には、配電用端子１３を挿入するための、上下に連通する複数の挿通孔１５が、所定の位置に形成されている。
【００２９】
配電基板１２の上面からは、挿通孔１５から配電用端子１３が上方に突出している。また、配電基板１２の下面からは、挿通孔１５から配電用端子１３が下方に突出している。そして、配電基板１２の、図２における左手前側の端部からは、配電側タブ片１４が同一平面上に並んで突出している。
【００３０】
図４に示すように、配電基板１２の端部には、制御回路基板２１が配されている。制御回路基板２１は、絶縁基板の一方の面にプリント配線手段によって制御回路を形成すると共に、ここにリレー等の電装品２４を実装して構成され、その部品実装面とは反対側の面に複数本のバスバー１０を制御回路と電気的に接続した状態で沿わせてある。なお、バスバー１０は、絶縁性を有する薄い接着シート（図示せず）を介して絶縁基板と一体的に貼り付けられている。また、バスバー１０には、電装品２４から発生する熱を放熱するための放熱板２２が、絶縁性の接着層（図示せず）を介して接着されている。この放熱板２２は略矩形状をなしており、熱伝導率の高いアルミニウムなどの金属板により形成されると共に、複数条のフィン２６を備え、上下の端部寄りに取り付け用挿通孔２７が形成されている。バスバー１０群のうち所定のものは、制御回路基板２１の板面に平行な方向に延出された後、部品実装面側に突出するように曲げ形成されると共に、その先端部がやや先細り形状に形成されて、配電基板１２と接続するための制御側タブ片２５（請求項７における制御回路基板側のタブ片に相当する）とされている。制御側タブ片２５は同一平面上に並んだ形態になっている。
【００３１】
図４に示すように、配電基板１２と制御回路基板２１とは、配電側タブ片１４と、制御側タブ片２５とを、雌型中継端子３０に挿入することにより電気的に接続されている。
【００３２】
図５に示すように、雌型中継端子３０は、導電性の金属板をプレスによって所定形状に打ち抜いた後、曲げ加工を施すことにより略直方体状に形成されている。雌型中継端子３０には、図５における右方に、制御側タブ片２５が挿入されるための制御側タブ片挿入口３１が形成されている。また、図５における左方には、配電側タブ片１４が挿入されるための配電側タブ片挿入口３２が形成されている。
【００３３】
雌型中継端子３０の下壁３３のうち、図５における左端からは、弾性接触片３４が延出されており、図５における右方へ折り返されている。この弾性接触片３４は、側方から見て略Ｓ字状をなすように２回曲げされている。
【００３４】
弾性接触片３４のうち、側方から見て下方に突出して屈曲した部分の下面は、制御側タブ片２５と接続するための、制御側接点部３６となっている。また、弾性接触片３４のうち、側方から見て上方に突出して屈曲した部分の上面は、配電側タブ片１４と接続するための、配電側接点部３５となっている。雌型中継端子３０の上壁は、一段下方に低く形成されており、配電側タブ片１４と接触する受け部３７とされている。
【００３５】
図４に示すように、配電側タブ片挿入口３２に、図４における左方から挿入された配電側タブ片１４は、配電側接点部３５と接触して弾性接触片３４を下方へ押圧している。これにより弾性接触片３４は撓み変形して、その復元弾力により、受け部３７と弾性接触片３４との間に配電側タブ片１４が挟持されている。
【００３６】
また、制御側タブ片挿入口３１に、図４における右方から挿入された制御側タブ片２５は、制御側接点部３６と接触して弾性接触片３４を上方へ押圧している。これにより弾性接触片３４は撓み変形して、その復元弾力により、雌型中継端子３０の下壁３３と弾性接触片３４との間に制御側タブ片２５が挟持されている。
【００３７】
一方、ロアケース６０のうち、図２における左手前側の側壁には、図２における左手前側に開口した箱状のロアケース側補助ハウジング６８が形成されており、制御回路基板２１を収容可能になっている。ロアケース側補助ハウジング６８の下壁の図２における左手前側の端部には、弾性変形可能な係止爪５８が上方に突出して形成されている。
【００３８】
ロアケース側補助ハウジング６８の下端寄りの位置には、制御回路基板２１をネジ止めするための円柱状のボス８１が図２における左手前側に突出して形成されている。ボス８１の先端部にはネジ孔８２が形成されている。
【００３９】
また、アッパーケース４１のうち、図２における左手前側の側壁には、図２における左手前側に開口したアッパーケース側補助ハウジング５５が形成されており、制御回路基板２１を収容可能になっている。
【００４０】
アッパーケース側補助ハウジング５５の上壁のうち、図２における左手前側の端部には、弾性変形可能な係止爪５８が下方に垂下して形成されている。
【００４１】
アッパーケース側補助ハウジング５５には、制御回路基板２１をネジ止めするための円柱状のボス８１が図２における左手前側に突出するように形成されている。このボス８１の先端部にはネジ孔８２が形成されている。
【００４２】
アッパーケース４１とロアケース６０とが一体化された状態では、ハウジング４０の、図１における左手前側に、アッパーケース側補助ハウジング５５と、ロアケース側補助ハウジング６８とが一体化されて形成された補助ハウジング７５が、図１における左手前側に開口する開口部７６を備えて形成されている。
【００４３】
図４に示すように、補助ハウジング７５の上下方向の高さ寸法Ｈは、ヒューズ装着部４３に装着されたヒューズ８６の頂部と、リレー装着部６２に装着されたリレー８７の頂部との間の寸法Ｗ内に収まるように（ここでは略等しく）設定されている。
【００４４】
そして、図４に示すように、制御回路基板２１は、配電基板１２に対して垂直となるようにして、かつ、放熱板２２がハウジング４０の外側に露出するように、補助ハウジング７５の開口部７６に対して開放面側から組み付けられている。制御回路基板２１は、配電基板１２の端部に位置し、制御回路基板２１が、配電基板１２の両面側に延びるＴ字型配置とされている。
【００４５】
制御回路基板２１が開放面側から補助ハウジング７５に組み付けられると、放熱板２２の上端縁及び下端縁が係止爪５８に図５の右方から当接する。さらに制御回路基板２１を押し込むと、係止爪５８が外方へ開き変形しながら放熱板２２の上端縁及び下端縁に乗り上げる。さらに制御回路基板２１を押し込むと、係止爪５８が内側へ復元変形し、放熱板２２の上端縁及び下端縁は係止爪５８の内側に嵌り込んで抜け止めされるようになっている。
【００４６】
取り付け用挿通孔２７に、ワッシャー８５を介してネジ８４が挿入され、このネジ８４がネジ孔８２に螺合されることにより、制御回路基板２１が補助ハウジング７５に固定されている。
【００４７】
次に、本実施形態の作用、効果について説明する。
本実施形態によれば、制御回路基板２１は配電基板１２に対して垂直となるように配設されているので、配電基板１２の板面に垂直な方向の投影面積を増大させることなく、電気接続箱８０に電装品２４を実装することができる。これにより電気接続箱８０のスペース効率を向上させることができる。
【００４８】
そして、ハウジング４０には、配電基板１２の表裏両面側からリレー８７，ヒューズ８６が配設されているので、配電基板１２と直交する方向に延びる空間のうち、ヒューズ装着部４３に装着されたヒューズ８６の頂部と、リレー装着部６２に装着されたリレー８７の頂部との間の寸法Ｗ内の空間は、電気接続箱によって占有されるようになっている。本実施形態によれば、制御回路基板２１は、配電基板１２の端部に位置して、この制御回路基板２１が、配電基板１２の両面側に延びるＴ字型配置とされており、さらに、補助ハウジング７５の上下方向の高さ寸法Ｈは、上述の寸法Ｗ内に収まるように設定されて、この補助ハウジング７５内に制御回路基板２１が収容されている。これにより、元々電気接続箱８０の占有する空間内に制御回路基板２１を配することができるので、電気接続箱８０のスペース効率を向上させることができる。
【００４９】
また、本実施形態によれば、制御回路基板２１が、補助ハウジング７５の開口部７６に対して開放面側から取り付けられるようになっていることにより、組付作業時に障害となるような部材が存在しないので、制御回路基板２１を補助ハウジング７５内に収容する際の組付作業が容易となる。そして、バスバー１０の端部に形成した配電側タブ片１４と制御側タブ片２５とを雌型中継端子３０に挿入するという容易な手法で制御回路基板２１と配電基板１２とを接続することにより、制御回路基板２１を電気接続箱８０に組み付ける工程を全体として簡略化することができる。
【００５０】
また、制御回路基板２１から、制御回路基板２１の板面に垂直に突出して形成された制御側タブ片２５を、雌型中継端子３０の制御側タブ片挿入口３１に図５の右方から挿入すると、制御側タブ片２５は、配電側接点部３６に図５の右方から当接する。すると、制御側タブ片２５が、その板面に垂直な方向に撓み変形する場合がある。しかしながら、制御側タブ片２５が形成されたバスバー１０は、制御回路基板２１の板面に垂直に曲げ形成されているので、制御側タブ片２５の撓み変形は、この垂直曲げされた部分で吸収される。このため、絶縁基板に接着された部分のバスバー１０が、その板面に垂直な方向に撓み変形することを防止できる。これにより、バスバー１０から、放熱板２２や制御回路基板２１が剥離すること防止できる。
【００５１】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００５２】
（１）本実施形態では、配電基板１２は複数本のバスバー１０を絶縁板１１を介して三層に積層して形成したが、これに限られず、一層のみで配電基板１２が形成されてもよいし、絶縁板１１を介して二層又は四層以上に積層して形成されるものとしてもよい。
【００５３】
（２）本実施形態においては、バスバー１０と絶縁板１１とを、両者の板面が平行になるように積層して配電基板１２を形成したが、これに限られず、絶縁板１１の板面とバスバー１０との板面とが垂直にすると共に、絶縁板１１の板面とバスバー１０とが接するように配設するものとしてもよい。
【００５４】
（３）本実施形態においては、補助ハウジング７５は電気接続箱８０のハウジング４０と一体に形成されるものとしたが、これに限られず、補助ハウジング７５が別体に形成されて、電気接続箱８０のハウジング４０に取り付けられる構成としてもよい。
【００５５】
（４）本実施形態においては、制御回路基板２１に放熱板２２が設けられる構成としたが、これに限られず、制御回路基板２１に実装された電装品２４から発する熱を効率よく放散する構成であれば、放熱板２２が設けられない構成としてもよい。また、ヒートパイプ等、放熱板２２以外の放熱手段を設けてもよい。
【００５６】
（５）本実施形態においては、補助ハウジング７５の上下方向の高さ寸法Ｈは、ヒューズ装着部４３に装着されたヒューズ８６の頂部と、リレー装着部６２に装着されたリレー８７の頂部との間の寸法Ｗと略等しく設定されていたが、これに限られず、寸法Ｈを寸法Ｗよりも小さく設定してもよい。また、配電基板１２と直交する方向に補助ハウジング７５を設置可能な十分なスペースを確保できる場合には、寸法Ｈを寸法Ｗより大きく設定してもよい。
【００５７】
（６）本実施形態においては、制御回路基板２１に接着されたバスバー１０のうち所定のものは、制御回路基板２１の板面に対して垂直に曲げ形成されて、その先端部に制御側タブ片２５が形成される構成としたが、これに限られず、制御側タブ片２５の板面に垂直な方向の撓み変形が防止される構成とされている場合には（例えば、タブ片１４がアライメントプレートに挿入されている場合など）、バスバー１０が制御回路基板２１と平行に延びて、その先端に制御側タブ片２５が形成されるものとし、バスバー１０のうち所定のものを配電基板１２の板面に平行に突出させた後、配電基板１２の板面に垂直に曲げ形成して、その先端に制御側タブ片２５を形成する構成とし、このようにして形成された制御側タブ片２５と配電側タブ片１４とを雌型中継端子３０により接続する構成としてもよい。
【００５８】
（７）本実施形態によれば、制御側タブ片２５と配電側タブ片１４とは雌型中継端子３０により接続される構成としたが、これに限られず、例えば、制御側タブ片２５と配電側タブ片１４とを溶接することにより接続する構成としてもよい。
【００５９】
（８）本実施形態によれば、制御回路基板２１は、配電基板１２の端部に位置し、制御回路基板２１が配電基板１２の両面側に延びるＴ字型配置とされていたが、これに限られず、制御回路基板２１が配電基板１２の板面上に垂直に配設される構成としてもよい。
【図面の簡単な説明】
【００６０】
【図１】本実施形態における電気接続箱の斜視図
【図２】本実施形態における電気接続箱の分解斜視図
【図３】本実施形態における電気接続箱の底面図
【図４】図１における電気接続箱のＡ−Ａ線断面図
【図５】図１における電気接続箱の組付前の状態を示すＡ−Ａ線断面図
【符号の説明】
【００６１】
１０…バスバー
１１…絶縁板
１２…配電基板
１４…配電側タブ片
２０…絶縁基板
２１…制御回路基板
２２…放熱板
２４…電装品
２５…制御側タブ片
３０…雌型中継端子
４０…ハウジング
７５…補助ハウジング
８０…電気接続箱
８６…ヒューズ
８７…リレー
【図１】
2006042501.tif 000003
【図２】
2006042501.tif 000004
【図３】
2006042501.tif 000005
【図４】
2006042501.tif 000006
【図５】
2006042501.tif 000007